(57)【要約】【課題】エチケット用として十分な大きさを有する鏡を設けることができ、鏡に塵、埃、手垢などが付着したり、傷付きを防止することが可能であって、さらに前記鏡を用いてカメラによる自分撮影も可能な重ね合わせ型の携帯機器を提供する。【解決手段】撮像部150を有する第１筐体110と、鏡部材130と、第２筐体120とを順次重ね合わせ、重ね合わせ方向に沿う軸線を中心として２つの筐体110、120及び鏡部材130が各々相対的に回動するように連結した携帯機器であって、第２筐体120のうち鏡部材130と対向する面121には主操作部102を、第１筐体110のうち鏡部材130と対向する面112には撮像部150の撮影窓151を、第１筐体110のうち鏡部材130と反対側の面111には表示部106を、鏡部材130のうち第２筐体120と対向する面132には鏡134を設けると共に、第１筐体110と重ね合わされたときに撮影窓151と対向する部位にくり抜き部135を設ける。【選択図】図３
2005217779.tif 000002
【特許請求の範囲】
【請求項１】
撮像部を有する第１筐体と、鏡部材と、第２筐体とを順次重ね合わせ、この重ね合わせ方向に沿う軸線を中心として前記２つの筐体及び鏡部材がそれぞれ相対的に回動するように前記２つの筐体及び鏡部材の各端部を連結してなり、前記第２筐体のうち鏡部材と対向する面には主操作部を備え、前記第１筐体のうち鏡部材と対向する面には前記撮像部の撮影窓を備え、前記第１筐体のうち鏡部材と反対側の面には表示部を備え、かつ前記鏡部材のうち少なくとも前記第２筐体と対向する面には鏡を備えると共に、前記第１筐体と重ね合わされたときに前記撮影窓と対向する部位にくり抜き部を有することを特徴とする携帯機器。
【請求項２】
前記第１筐体と前記鏡部材のうちいずれか一方には一つの凸部を、他方には一つ以上の凹部をそれぞれ有し、前記凸部が一つの前記凹部に係合することで前記鏡部材が前記第１筐体に対して所定の回動位置で位置決めされることを特徴とする請求項１に記載の携帯機器。
【請求項３】
前記第２筐体と前記鏡部材のうちいずれか一方には一つの凸部を、他方には一つ以上の凹部をそれぞれ有し、前記凸部が一つの前記凹部に係合することで前記鏡部材が前記第２筐体に対して所定の回動位置で位置決めされることを特徴とする請求項１に記載の携帯機器。
【請求項４】
前記第１筐体の周縁の一部には、鏡部材と対向する面から鏡部材と反対側の面に至る切欠き部を有することを特徴とする請求項１乃至請求項３のいずれか一つに記載の携帯機器。
【請求項５】
前記第１筐体には連続的な光又は瞬間的な閃光をそれぞれ出射可能な発光部を備えると共に、前記第１筐体のうち鏡部材と対向する面には前記発光部の発光窓を備え、当該発光窓は、前記鏡部材が第１筐体と重ね合わされたときに前記くり抜き部より外部に露出することを特徴とする請求項１乃至請求項４のいずれか一つに記載の携帯機器。
【発明の詳細な説明】
【技術分野】
【０００１】
本発明は、互いに重ね合わせ可能に配置される２つの筐体の間に鏡部材を備え、その重ね合わせ方向に沿う軸線を中心にそれぞれ相対的に回動可能に連結してなり、少なくとも一方の筐体にカメラ機能を備えた、携帯電話機、ＰＤＡ（Personal Digital Assistants）等の携帯機器に関するものである。
【背景技術】
【０００２】
従来、携帯電話機やＰＤＡ等の携帯機器のうち表示部や操作部が配置される面と反対側の面の空きスペースに鏡を設け、手鏡等を別に持ち歩かなくてもよいように工夫されたものが提案されている（特許文献１参照のこと）。
【０００３】
一方、近年、携帯機器は、携行時における持ち運びを考慮して、互いに重ね合わせて配置される2つの筐体と、この2つの筐体の端部同士を、互いの重ね合わせ方向に沿う軸線を中心として前記２つの筐体を相対的に回動可能に連結する連結部とを有し、一方の筐体には操作部と送話部を備えると共に、他方の筐体には表示部と受話部を備えた重ね合わせ型の携帯機器が提案されている（特許文献2参照のこと）。
【特許文献１】特開２００２−２１８０３９号公報
【特許文献２】特開平７−２８８８６０号公報
【発明の開示】
【発明が解決しようとする課題】
【０００４】
ところで、特許文献１に開示されているものは、ストレートタイプの携帯機器に鏡を設けたもので、特許文献２に開示されているような重ね合わせ型の携帯機器に鏡を設けることは考慮されていなかった。
【０００５】
また、特許文献１に開示された技術では、鏡が常に外部に露出していることから塵や埃、手垢などが付着し易く、クリーニングを頻繁に行わなければならず、さらには不用意に石やコンクリート等の硬質の物体上に置いた際には鏡を傷付けてしまう恐れがあった。
【０００６】
しかも、特許文献１に開示されたストレートタイプの携帯機器は、その幅が重ね合わせ型の携帯機器と比較して狭いため、エチケット用の鏡としては十分に満足できるものではなかった。
【課題を解決するための手段】
【０００７】
そこで、上記事情に鑑み、本発明は、撮像部を有する第１筐体と、鏡部材と、第２筐体とを順次重ね合わせ、この重ね合わせ方向に沿う軸線を中心として前記２つの筐体及び鏡部材がそれぞれ相対的に回動するように前記２つの筐体及び鏡部材の各端部を連結してなり、前記第２筐体のうち鏡部材と対向する面には主操作部を備え、前記第１筐体のうち鏡部材と対向する面には前記撮像部の撮影窓を備え、前記第１筐体のうち鏡部材と反対側の面には表示部を備え、かつ前記鏡部材のうち少なくとも前記第２筐体と対向する面には鏡を備えると共に、前記第１筐体と重ね合わされたときに前記撮影窓と対向する部位にくり抜き部を設けて携帯機器を構成したことを特徴とする。
【０００８】
また、前記携帯機器において、前記第１筐体と前記鏡部材のうちいずれか一方には一つの凸部を、他方には一つ以上の凹部をそれぞれ有し、前記凸部が一つの前記凹部に係合することで前記鏡部材が前記第１筐体に対して所定の回動位置で位置決めされるようにすることが好ましい。
【０００９】
また、前記携帯機器において、前記第２筐体と前記鏡部材のうちいずれか一方には一つの凸部を、他方には一つ以上の凹部をそれぞれ有し、前記凸部が一つの前記凹部に係合することで前記鏡部材が前記第２筐体に対して所定の回動位置で位置決めされるようにすることが好ましい。
【００１０】
さらに、前記携帯機器において、第１筐体の周縁の一部には、鏡部材と対向する面から鏡部材と反対側の面に至る切欠き部を設けることが好ましい。
【００１１】
また、前記携帯機器において、第１筐体には連続的な光又は瞬間的な閃光をそれぞれ出射可能な発光部を設けると共に、第１筐体のうち鏡部材と対向する面には前記発光部の発光窓を設け、当該発光窓は、前記鏡部材が第１筐体と重ね合わされたときに前記くり抜き部より外部に露出するようにすることが好ましい。
【発明の効果】
【００１２】
本発明によれば、互いに重ね合わされる２つの筐体の間に鏡部材を備えることから、携帯機器の携行時には鏡が２つの筐体よって覆われ、塵、埃、手垢などが付着することを防止することができると共に、携帯機器を不用意に硬質の物体上においたとしても鏡を傷付けることがない。
【００１３】
また、鏡の使用時には、鏡部材のみを回動させれば、いつでもどこでも鏡を使うことができると共に、カメラ機能による自分取り撮影を行うときには鏡部材を第１筐体と共に回動させ、ユーザー自身を鏡部材の大きな鏡に映して身だしなみを整えた後、カメラによる撮影を行えば良く、簡単に自分取り撮影を行うことができる。
【００１４】
しかも、本発明の携帯機器は重ね合わせ型であるため、ストレートタイプの携帯機器と比較して幅が広く、その結果、鏡の幅も広くできるため、エチケット用の鏡として十分に使用可能なものとすることができる。
【発明を実施するための最良の形態】
【００１５】
以下、本発明の実施形態について説明する。
【００１６】
図１は本発明の携帯機器の一例である携帯電話機の閉状態を示す図で、（ａ）はその斜視図、（ｂ）は（ａ）のＸ−Ｘ線断面図である。図２は図1の携帯電話機のうち第１筐体及び鏡部材を第２筐体に対して回動させて開状態とした状態を示す図で、（ａ）はその斜視図、（ｂ）はその裏面図である。図３は図1の携帯電話機のうち鏡部材のみを回動させた状態を示す図で、（ａ）はその斜視図、（ｂ）は（ａ）のＹ−Ｙ線断面図である。図４は図1の携帯電話機における連結部近傍を示す断面図である。図５は図1の携帯電話機のブロック図である。
【００１７】
図１乃至図３に示すように、この携帯電話機１００は、液晶表示装置や有機ＥＬ装置等からなる表示部１０６を有する第１筐体１１０と、２つの鏡１３３，１３４を有する鏡部材１３０と、テンキーやカーソルキー等からなる主操作部１０２を有する第２筐体１２０と、両筐体１１０，１２０及び鏡部材１３０を開閉可能に連結する連結部１０４とから構成され、両筐体１１０，１２０及び鏡部材１３０は互いに重ね合わせた閉状態において、鏡部材１３０が第２筐体１２０の主操作部１０２覆い、さらに第１筐体１１０が鏡部材１３０を覆うように順次重ね合わせて配置され、表示部１０６の表示面１０６ａは、常に外側から見ることができるように、第１筐体１１０のうち鏡部材１３０と反対側の面１１１に設けられている。
【００１８】
これら２つの筐体１１０，１２０及び鏡部材１３０は、いずれも平面形状が略矩形状をなし、略同等の大きさを有するもので、両筐体１１０，１２０及び鏡部材１３０を重ね合わせたときには鏡部材１３０が両筐体１１０，１２０間に収容されるようになっている。
【００１９】
なお、１０３は閉状態でも携帯電話機１００が持つ各種アプリケーションを起動、操作することができるようにするために第１筐体１１０及び第２筐体１２０の各側面１１３，１２３にそれぞれ設けられた４つのキーからなる補助的操作部、１０７は第１筐体１１０の表示部１０６を有する面１１１の先端側１１１ａ側に設けられたスピーカー、１５０は第１筐体１１０内に設けられたＣＣＤやＣＯＭＳ等の撮像素子を備えた撮像部、１５１は第１筐体１１０のうち鏡部材１３０と対向する面１１２の先端側１１２ａに設けられ、前記撮像部１５０に被写体像を取り込むための撮影窓、１５３は第１筐体１１０内に設けられ、連続的な光又は瞬間的な閃光を各々出射可能な白色ＬＥＤ等からなる発光部、１５４は第１筐体１１０のうち鏡部材１３０と対向する面１１２の先端側１１２ａに設けられた前記発光部１５３の発光窓、１０８は第２筐体１２０の主操作部１０２を有する面１２１の先端側１２１ａ側に設けられたマイクロフォン、１０５は第２筐体１２０の基端部（連結部１０４側の端部）１２０ｂ側に設けられたアンテナ、１５５は第２筐体１２０内に配置された電池、１５６は第２筐体１２０内に配置され、前記アンテナ１０５と電気的に接続される無線部や制御部が搭載された回路基板である。
【００２０】
また、前記連結部１０４は、図４に示すように、第１筐体１１０に結合され、鏡部材１３０と対向する面１１２側より突出する回転軸１４４と、第２筐体１２０のうち鏡部材１３０と対向する面１２１側に結合され、前記回転軸１４４を回転可能に軸支する軸受部材１４５とを有し、回転軸１４４は、その中心線が両筐体１１０，１２０及び鏡部材１３０の重ね合わせ方向に沿う軸線Ｌと一致するように配置されている。
【００２１】
また、鏡部材１３０の基端部１３０ｂには穴１３７を備え、この穴１３７内に前記回転軸１４４を挿通させることで回転軸１４４に対して鏡部材１３０を回動させることができるようになっている。
【００２２】
その為、第１筐体１１０、鏡部材１３０及び第２筐体１２０が互いに重ね合わされた図１の閉状態から軸線Ｌを中心として第１筐体１１０と鏡部材１３０を第２筐体１２０に対して矢印Ａ方向（右方向）に１８０度回動させることにより、図２に示すように、第２筐体１２０に備える主操作部１０２が外側に露出する開状態とすることができ、この時、表示部１０６は主操作部１０２と略同じ方向を向いた状態で回動するため、開状態でも表示部１０６の表示面１０６ａを外側から見ることができるようになっている。
【００２３】
また、鏡部材１３０は、第１筐体１１０と対向する面１３１に、平面形状が略矩形状をした第１の鏡１３３を備えると共に、第２筐体１２０と対向する面１３２に、平面形状が略矩形状をした第２の鏡１３４を備え、これら両鏡１３３，１３４の両側部は鏡部材１３０の両側部近傍まで形成し、エチケット用の鏡として十分に使用可能な大きさを確保してある。
【００２４】
また、鏡部材１３０の先端部１３０ａには、面１３１から面１３２に連通するくり抜き部１３５を形成してあり、このくり抜き部１３５は、第１筐体１１０と重ね合わされるとき、第１筐体１１０に設けられた撮影窓１５１及び発光窓１５４と対向する位置に設けられ、図２に示す開状態においては、前記くり抜き部１３５より撮影窓１５１及び発光窓１５４が外部に露出するようになっている。
【００２５】
さらに、鏡部材１３０には、第１筐体１１０と対向する面１３１のうち基端側（連結部１０４側）に一体的に形成された一つの凸部１３６を有すると共に、第１筐体１１０には、鏡部材１３０と対向する面１１２の基端側（連結部１０４側）であって、前記鏡部材１３０を回動させたときに前記凸部１３６が通過する軌跡上に所定の間隔をおいて形成された複数（本実施形態では４つ）の凹部１１５ａ〜１１５ｄを有し、上記凸部１３６が各凹部１１５ａ〜１１５ｄのいずれか一つと係合することで鏡部材１３０を図１に示す位置、図１から右回りに９０°回動させた位置、図１から１８０°回動させた図３の位置、図１から左回りに９０°回動させた位置でそれぞれ位置決めすることができるようになっている。
【００２６】
即ち、図１に示す状態では、凸部１３６が凹１１５ａと係合することで、鏡部材１３０が第１筐体１１０に対して回動することを規制されるようになっている。この状態から鏡部材１３０のみを回動させようと力を加え続けると、凸部１３６が凹部１１５ａから外れ、鏡部材１３０が第１筐体１１０に対して回動可能な状態となる。そして、携帯電話機１００を正面から見て、図１に示す状態から鏡部材１３０を右回りに９０°回動させると、凸部１３６が凹部１１５ｂに入り込んで係合し、鏡部材１３０を９０°右回りに回動させた位置で位置決めすることができ、逆に図１に示す状態から鏡部材１３０を左回りに９０°回動させると、凸部１３６が凹部１１５ｄに入り込んで係合し、鏡部材１３０を９０°左回りに回動させた位置で位置決めすることができる。そして、図１の状態から９０°回動した状態よりさらに鏡部材１３０のみを回動させようと力を加え続けると、凸部１３６が凹部１１５ｂ又は１１５ｄから外れ、鏡部材１３０が第１筐体１１０に対して回動可能な状態となり、図１の状態から１８０°回動させると、凸部１３６が凹部１１５ｃに入り込んで係合し、図３に示すように、鏡部材１３０を１８０°回動させた位置で位置決めすることができる。
【００２７】
このように、本発明の携帯電話機１００によれば、鏡部材１３０のみを筐体１１０，１２０に対して回動させることができるため、ユーザーが身だしなみを整えたいと思ったときにはいつでもどこでも鏡１３３，１３４を見ることができると共に、所定の位置で位置決めすることができるため、目的に応じて鏡１３３，１３４を縦にしたり横にしたりして見ることができる。
【００２８】
次に、図１に示す携帯電話機１００のブロック図を説明する。
【００２９】
図５に示すように、アンテナ１０５と接続される無線部１６４、表示部１０６、主操作部１０２、補助的操作部１０３、マイクロフォン１０８、スピーカー１０７、撮像部１５０、発光部１５３はそれぞれ制御部１６０に接続されており、さらに制御部１６０には、電池１５５、携帯電話機１００の各種アプリケーションソフトが記録された記憶部１５７及び第１筐体１１０と第２筐体１２０の開閉状態を検出する状態検出部１５８がそれぞれ接続されている。
【００３０】
制御部１６０は、状態検出部１５８からの信号に基づいて携帯電話機１００が閉状態にあることを検出したときは、補助的操作部１０３による操作を有効とし、補助的操作部１０３による操作に基づいて各種アプリケーションを起動、操作することができるようになっている。また、状態検出部１５８からの信号に基づいて携帯電話機１００が開状態にあることを検出したときは、補助的操作部１０３を構成するキーのうち一部の操作を無効とすると共に、主操作部１０２による操作を有効とし、主操作部１０２による操作に基づいて各種アプリケーションを起動、操作することができるようになっている。
【００３１】
その為、例えば、ユーザーが電話をかける場合、携帯電話機１００を開状態にして主操作部１０２を操作可能な状態とし、相手先の電話番号を主操作部１０２より入力した後、オフフックボタンとして割り当てた主操作部１０２の一つのキーを押下することで、制御部１６０から無線部１６４、アンテナ１０５を介して相手先番号を近くの基地局（不図示）へ送信し、基地局との間で呼が確立されることにより通話を行うことができ、また、アンテナ１０５及び無線部１６４を介して着信を受けた場合、制御部１６０はスピーカー１０７より着信音を放音させてユーザーに着信があることを知らせ、その後、ユーザーが着信に気づいて携帯電話機１００を開状態にし、オフフックボタンとして割り当てた主操作部１０２の一つのキーを押下することで基地局との間で呼が確立され、通話を行うことができるようになっている。
【００３２】
また、各種アプリケーションの一つとしてカメラ撮影機能があり、このカメラ撮影機能は、主操作部１０２及び補助的操作部１０３のいずれの操作によっても起動させることができ、携帯電話機１００を開状態とすることで撮影窓１５１を介して撮像部１５０に取り込まれた画像を表示部１０６に表示させることができるようになっている。その為、ユーザーは表示面１０６ａを見ながら被写体を特定し、撮影すべき被写体が決まった段階で、予めシャッターキーとして割り当てられた主操作部１０２の一つのキーを押下することで撮影することができ、撮影された画像は記憶部１５７に記録できるようになっている。この時、周囲が暗く被写体に光を当てたい場合、カメラ撮影機能の起動後に発光部１５３の設定をオンにすれば、カメラ撮影機能の起動中、発光部１５３から発光窓１５４を介して連続的な光を発光させることができるため、この光を基に被写体を特定することができ、撮影する場合には、予めシャッターキーとして割り当てられた主操作部１０２の一つのキーを押下すると、連続的な光の発光を止め、瞬間的な閃光が発光部１５３より被写体に向けて発光されることで撮影することができるようになっている。また、記憶部１５７に記録された画像は表示部１０６に再生することもできるようになっている。
【００３３】
さらに、制御部１６０は、状態検出部１５８からの信号に基づいて携帯電話機１００が開状態にあることを検出すると共に、カメラ撮影機能が起動していないことを検知した状態で補助的操作部１０３のキーのうち操作が無効化されていないキーを押すことで前記発光部１５３を発光させることができるようになっている。
【００３４】
次に、図１に示す携帯電話機１００の動作について説明する。
【００３５】
本発明の携帯電話機１００によれば、図１に示す閉状態とすることで携帯電話機１００の長さを短くできるため、携行時の持ち運びが容易であると共に、補助的操作部１０３の操作によって各種アプリケーションを起動させることで閉じた状態のままでも携帯電話機１００に記録された情報を表示部１０６に表示させて閲覧することができる。また、閉状態において、鏡部材１３０は第１筐体１１０と第２筐体１２０との間に収納され、鏡部材１３０の鏡１３３，１３４が外部に露出することがないため、従来の携帯電話機のように不用意に硬質の物体上に置いたとしても鏡１３３，１３４を傷付けることがなく、また、鏡１３３，１３４の使用時又は携帯電話機１００の開状態時以外では鏡１３３，１３４が外部に露出しないため、塵や埃の付着、さらには手垢の付着を抑えることができ、綺麗な状態を長く保つことができる。
【００３６】
また、身だしなみを整えたいと思った場合、図１に示す状態から鏡部材１３０のみを回転させ、例えば図３に示すように鏡部材１３０のみを９０°又は１８０°回転させた位置で位置決めするか、あるいは図１に示す状態から第１筐体１１０及び鏡部材１３０を回転させ、例えば図２に示すように第１筐体１１０及び鏡部材１３０を１８０°回転させた位置で位置決めすることで、鏡部材１３０を外側に露出させることができるため、ユーザーは鏡部材１３０の鏡１３３，１３４を見ながら身だしなみを整えることができる。特に本発明によれば、鏡１３３，１３４の幅を各筐体１１０，１２０の幅に近い幅を持たせることができるため、エチケット用の鏡として使用するのに十分な大きさを確保することができる。また、鏡部材１３０には両面に鏡１３３，１３４を持たせてあるため、携帯電話機１００を持ち合えたりする必要がなく、状況に応じて使用することができる。なお、本発明では鏡部材１３０の両面１３１，１３２に鏡１３３，１３４をそれぞれ設けた例を示したが、少なくとも第２筐体１２０と対向する面１３２側に設けてあれば良い。
【００３７】
さらに、本発明によれば、図１に示す状態から第１筐体１１０及び鏡部材１３０を１８０°回転させて図２に示す開状態とし、補助的操作部１０３のキーのうち操作が無効化されていないキーを押下することで発光部１５３を発光させ、くり抜き部１３５より露出する発光窓１５４から光をユーザーに当てることができるため、暗い場所でも身だしなみを整えることができる。
【００３８】
また、カメラ撮影を行いたい場合、主操作部１０２及び補助的操作部１０３のいずれの操作によってカメラ撮影機能を起動させると共に、携帯電話機１００を図２に示す開状態とすることで撮影窓１５１を介して撮像部１５０に取り込まれた画像を表示部１０６に表示させることができる。そして、ユーザーは表示面１０６ａを見ながら被写体を特定し、撮影すべき被写体が決まった段階で、予めシャッターキーとして割り当てられた主操作部１０２の一つのキーを押下することで撮影することができ、撮影された画像は記憶部１５７に記録することができる。また、周囲が暗く被写体に光を当てたい場合には、カメラ撮影機能の起動状態で発光部１５３の設定をオンにすれば、発光部１５３から発光窓１５４を介して連続的な光を発光させることができるため、この光を基に被写体を特定した後、予めシャッターキーとして割り当てられた主操作部１０２の一つのキーを押下すると、連続的な光の発光を止め、瞬間的な閃光が発光部１５３より被写体に向けて発光されることで撮影することができる。
【００３９】
また、自分撮りを行い場合でも撮影窓１５１の近くには鏡部材１３０の鏡１３４があるため、この鏡１３４で予め身だしなみを整えた後、自分撮りを行うことができる。
【００４０】
以上、本実施形態について説明したが、本発明は上述した実施形態だけに限定されるものではなく、本発明の要旨を逸脱しない範囲で、改良や設計変更したものでもよいことはいう迄もない。例えば、鏡部材１３０の位置決めにあたり、本実施形態では鏡部材１３０側に一つの凸部１３６を設け、第１筐体１１０の面１１２に前記凸部１３６が係合する４の凹部１１５ａ〜１１５ｄを設けた例を示したが、第１筐体１１０の面１１２に一つの凸部を設け、鏡部材１３０側にその凸部が係合する複数の凹部を設けても良く、さらには凹部の数も特に限定するものではない。また、本実施形態では鏡部材１３０と第１筐体１１０にそれぞれ凸部と凹部を設けたが、鏡部材１３０と第２筐体１２０に凸部と凹部を設けても良く、さらには他の位置決め手段を用いたものであっても構わない。
【００４１】
また、本実施形態では携帯電話機を例にとって説明したが、本発明はこの他にＰＤＡ（Personal Digital Assistants）等の携帯機器にも適用できることはいう迄もない。
【図面の簡単な説明】
【００４２】
【図１】本発明の携帯機器の一例である携帯電話機の閉状態を示す図で、（ａ）はその斜視図、（ｂ）は（ａ）のＸ−Ｘ線断面図である。
【図２】図1の携帯電話機のうち第１筐体及び鏡部材を第２筐体に対して回動させて開状態とした状態を示す図で、（ａ）はその斜視図、（ｂ）はその裏面図である。
【図３】図1の携帯電話機のうち鏡部材のみを回動させた状態を示す図で、（ａ）はその斜視図、（ｂ）は（ａ）のＹ−Ｙ線断面図である。
【図４】図1の携帯電話機における連結部近傍を示す断面図である。
【図５】図1の携帯電話機のブロック図である。
【符号の説明】
【００４３】
１００    携帯電話機（携帯機器）
１０２    主操作部
１０３    補助的操作部
１０４    連結部
１０５    アンテナ
１０６    表示部
１０７    スピーカー
１０８    マイクロフォン
１１０    第１筐体
１２０    第２筐体
１３０    鏡部材
１３３    第１の鏡
１３４    第２の鏡
１５０    撮像部
１５１    撮影窓
１５３    発光部
１５４    発光窓
１５５    電池
１５７    記憶部
１５８    状態検出部
１６０    制御部
１６４    無線部
【図１】
2005217779.tif 000003
【図２】
2005217779.tif 000004
【図３】
2005217779.tif 000005
【図４】
2005217779.tif 000006
【図５】
2005217779.tif 000007